(57)【要約】【課題】床等の硬質表面に対する洗浄力並びに洗浄後の速乾性と仕上がり性に優れ、且つ貯蔵安定性の良好な硬質表面洗浄剤組成物を提供する。【解決手段】（Ａ）アルキル基の平均炭素数が８以上、１６以下であり、糖の平均縮合度が１以上、２以下であるアルキルグリコシド、（Ｂ）分岐アルキル基を有する特定の非イオン界面活性剤、（Ｃ）陰イオン界面活性剤、及び（Ｄ）香料を、特定条件で含有する硬質表面用洗浄剤組成物。【選択図】なし【特許請求の範囲】
【請求項１】
（Ａ）アルキル基の平均炭素数が８以上、１６以下であり、糖の平均縮合度が１以上、２以下であるアルキルグリコシド〔以下、（Ａ）成分という〕を０．１質量％以上、３質量％以下、
（Ｂ）下記一般式（Ｂ１）で表される非イオン界面活性剤〔以下、（Ｂ）成分という〕、
Ｒ1b−Ｏ（Ｃ2Ｈ4Ｏ）p−Ｈ  （Ｂ１）
〔式中、Ｒ1bは炭素数８以上、２２以下の分岐のアルキル基、ｐは平均付加モル数を示し、０．１以上、２０以下の数である。〕
（Ｃ）陰イオン界面活性剤〔以下、（Ｃ）成分という〕、及び、
（Ｄ）香料〔以下、（Ｄ）成分という〕を含有する硬質表面用洗浄剤組成物であって、
（Ａ）成分に対する（Ｂ）成分の質量比（Ｂ）／（Ａ）が０．５以上、２以下、
（Ａ）成分に対する（Ｃ）成分の質量比（Ｃ）／（Ａ）が０．５以上、３以下、
（Ａ）成分、（Ｂ）成分及び（Ｃ）成分の合計量に対する（Ｄ）成分の質量比（Ｄ）／［（Ａ）＋（Ｂ）＋（Ｃ）］が０．１以上、１以下である、
硬質表面用洗浄剤組成物。
【請求項２】
（Ａ）成分が、下記一般式（Ａ１）で表される化合物である、請求項１に記載の硬質表面用洗浄剤組成物。
Ｒ1a（ＯＲ2a）xＧy                  （Ａ１）
〔式中、Ｒ1aは炭素数８以上、１６以下のアルキル基を示し、Ｒ2aは炭素数２以上、４以下のアルキレン基を示し、Ｇは炭素数５又は６の還元糖に由来する残基を示し、ｘはその平均値が０以上、５以下となる数を示し、ｙはその平均値が１以上、２以下となる数を示す。〕
【請求項３】
（Ａ）成分が、前記一般式（Ａ１）中のＲ1aが直鎖又は分岐のアルキル基の化合物である、請求項２に記載の硬質表面用洗浄剤組成物。
【請求項４】
（Ａ）成分、（Ｂ）成分及び（Ｃ）成分の合計量に対する（Ｂ）成分の質量比（Ｂ）／［（Ａ）＋（Ｂ）＋（Ｃ）］が０．１以上、０．７以下である、請求項１〜３の何れか１項に記載の硬質表面用洗浄剤組成物。
【請求項５】
（Ａ）成分、（Ｂ）成分及び（Ｃ）成分の含有量の合計が４質量％以下である、請求項１〜４の何れか１項に記載の硬質表面用洗浄剤組成物。
【請求項６】
（Ｃ）成分が、ポリオキシアルキレン基を有する陰イオン界面活性剤である、請求項１〜５の何れか１項に記載の硬質表面用洗浄剤組成物。
【請求項７】
（Ｄ）成分の含有量が０．３質量％以上である、請求項１〜６の何れか１項に記載の硬質表面用洗浄剤組成物。
【請求項８】
（Ｂ）成分が、一般式（Ｂ１）中のＲ1bが炭素数８以上、２２以下の２級アルキル基の非イオン界面活性剤である、請求項１〜７の何れか１項に記載の硬質表面用洗浄剤組成物。
【請求項９】
（Ｂ）成分が、一般式（Ｂ１）中のＲ1bが炭素数８以上、２２以下の直鎖型２級アルキル基の非イオン界面活性剤である、請求項１〜８の何れか１項に記載の硬質表面用洗浄剤組成物。
【請求項１０】
（Ｅ）除菌剤の含有量が３質量％以下である、請求項１〜９の何れか１項に記載の硬質表面用洗浄剤組成物。
【請求項１１】
原液のｐＨが２０℃で５以上、８以下である、請求項１〜１０の何れか１項に記載の硬質表面用洗浄剤組成物。
【請求項１２】
硬質表面が床面である、請求項１〜１１の何れか１項に記載の硬質表面用洗浄剤組成物。
【請求項１３】
請求項１〜１２の何れか１項に記載の硬質表面用洗浄剤組成物を水で７０倍以上、２００倍以下に希釈した洗浄液を硬質表面に適用する、硬質表面の洗浄方法。
【請求項１４】
上記洗浄液を硬質表面に適用した後、濯ぎを行わずに前記硬質表面を乾燥させる、請求項１３に記載の洗浄方法。
【請求項１５】
請求項１〜１２の何れか１項に記載の硬質表面用洗浄剤組成物を水で７０倍以上、２００倍以下に希釈した洗浄液の床面への使用。
【請求項１６】
上記洗浄液を硬質表面に適用した後、濯ぎを行わずに前記硬質表面を乾燥させる、請求項１５に記載の床面への使用。
【発明の詳細な説明】
【技術分野】
【０００１】
本発明は、硬質表面用洗浄剤組成物に関する。
【背景技術】
【０００２】
我々を取り巻く住環境設備には、タイル、プラスチック、金属等を材料とした各種硬質表面が存在し、これら硬質表面は生活場面に於いて様々な汚れが付着する環境に晒されている。なかでも、床面として用いられる硬質表面は、住環境設備の最下部に位置するうえに日常的に人が接する表面でもあるために、多くの汚れが残留して蓄積し易く、更には洗浄除去し難い性質を有するものとなっている。
【０００３】
床面のような硬質表面に吸着していない除去し易い汚れに対しては、掃除機による吸引や、不織布を用いたワイパー類で簡便に掃除することも可能ではある。しかしながら、油分を含んだ残留している汚れ、更には床面に残るニオイ成分に対しては、モップを用いた水拭きを行うことや、洗浄剤と併用した拭き掃除を行うことが余儀なくされている。これら床面に存在する残留し易く、除去困難な汚れに対する家事行動は、生活者の大きな負担となっている。
【０００４】
また、生活環境を裸足で過ごすことが多く、または、風通しの悪い住宅構造を有している国や地域においては、洗浄剤組成物を適用した床面のような硬質表面の乾燥速度を改善したいという要望が高いと言われている。
【０００５】
特許文献１には、特定のノニオン性界面活性剤とアルキルエーテル硫酸塩との組合せにより、香料のような油性物質を混入させるために、洗剤中にて使用し得る有効な可溶化剤系が開示されている。また、特許文献２には、特定炭素数の炭化水素基を有するグリコシド、更にポリエーテル硫酸エステル塩、ポリオキシエチレンアルキルエーテル等の複数の界面活性剤を含有し、洗浄力及び起泡力に優れ、濯ぎ性が改善された硬質表面用洗浄剤組成物が記載されている。また、特許文献３には、１種以上の非イオン性界面活性剤を含む床水拭き用助剤が記載されている。
【先行技術文献】
【特許文献】
【０００６】
【特許文献１】特開２００４−３３９４７４号公報
【特許文献２】特開平１０−８０９０号公報
【特許文献３】特開２００８−１５６６０７号公報
【発明の概要】
【発明が解決しようとする課題】
【０００７】
床面等の硬質表面を洗浄する際に洗浄効果が高いことは望まれる機能ではある。しかし、油分を含む汚れを洗浄剤組成物で洗浄した後に、これを適用した硬質表面である床面の乾燥速度を高めて、仕上がり性を向上させることが望まれていた。
【０００８】
加えて、洗浄後に香り（ニオイ）の持続が望まれることから、香料の配合量を多くする場合がある。しかし、香料を安定に増量するには、香料の為の分散剤や可溶化剤の配合量も多くしなければならなかった。しかし、これらの成分を配合すると、硬質表面の速乾性や仕上がり性の低下が懸念されていた。従って、硬質表面である床面の速乾性を高めて、仕上がり性を向上させることが望まれていた。
【０００９】
本発明は、硬質表面、特に床面等の硬質表面に対する洗浄力、並びに洗浄後の速乾性と仕上がり性に優れる硬質表面洗浄剤組成物を提供する。更に、本発明は、配合安定性の良好な硬質表面洗浄剤組成物を提供する。
【課題を解決するための手段】
【００１０】
本発明者は、特定量の香料とともに特定３種の界面活性剤を、濃度及び比率を限定して配合することにより、上記従来技術の課題を解決できることを見いだし、本発明を完成するに至った。
【００１１】
本発明は、（Ａ）アルキル基の炭素数が８以上、１６以下であり、糖の平均縮合度が１以上、２以下であるアルキルグリコシド〔以下、（Ａ）成分という〕を０．１質量％以上、３質量％以下、
（Ｂ）下記一般式（Ｂ１）で表される非イオン界面活性剤〔以下、（Ｂ）成分という〕、
Ｒ1b−Ｏ（Ｃ2Ｈ4Ｏ）p−Ｈ  （Ｂ１）
〔式中、Ｒ1bは炭素数８以上、２２以下の分岐のアルキル基、ｐは平均付加モル数を示し、０．１以上、２０以下の数である。〕
（Ｃ）陰イオン界面活性剤〔以下、（Ｃ）成分という〕、及び、
（Ｄ）香料〔以下、（Ｄ）成分という〕を含有する硬質表面用洗浄剤組成物であって、
（Ａ）成分に対する（Ｂ）成分の質量比（Ｂ）／（Ａ）が０．５以上、２以下、
（Ａ）成分に対する（Ｃ）成分の質量比（Ｃ）／（Ａ）が０．５以上、３以下、
（Ａ）成分、（Ｂ）成分及び（Ｃ）成分の合計量に対する（Ｄ）成分の質量比（Ｄ）／［（Ａ）＋（Ｂ）＋（Ｃ）］が０．１以上、１以下である、
硬質表面用洗浄剤組成物に関する。
【００１２】
また、本発明は、上記本発明の硬質表面用洗浄剤組成物を水で７０倍以上、２００倍以下に希釈した洗浄液を硬質表面に適用する、硬質表面の洗浄方法に関する。
【００１３】
また、本発明は、上記組成物の硬質表面用洗浄剤への使用に関する。
また、本発明は、上記本発明の硬質表面用洗浄剤組成物を水で７０倍以上、２００倍以下に希釈した洗浄液の、床面の洗浄への使用に関する。
【発明の効果】
【００１４】
本発明によれば、床面等の硬質表面に対する洗浄力並びに洗浄後の速乾性と仕上がり性に優れる、硬質表面洗浄剤組成物が提供される。また、本発明によれば、配合安定性の良好な硬質表面洗浄剤組成物が提供される。更に、本発明によれば、低濃度の界面活性剤でも比較的高濃度の香料を安定に配合できることから、被洗浄面への賦香効果やその持続性に優れる硬質表面洗浄剤組成物が提供される。更に、本発明によれば、洗浄後の速乾性と仕上がり性に優れることから、濯ぎを行わなくても洗浄を完了することができる、硬質表面の簡便な洗浄方法が提供される。
【発明を実施するための形態】
【００１５】
本発明の硬質表面用洗浄剤組成物により得られる洗浄面の残留水滴の速乾性は、（Ａ）成分、（Ｂ）成分、及び（Ｃ）成分が特定の割合で処方されていることにより達成されるものである。そのメカニズムは次のように推察される。通常、床等の硬質表面に残留した硬質表面用洗浄剤組成物の液滴には、界面活性剤が含有されている。この液滴は水分の蒸発とともに界面活性剤の濃度が相対的に上昇していく。界面活性剤の濃度上昇に伴って界面活性剤を含む液滴は液晶相を形成する。液晶相は液の対流が悪く、水分の蒸発を阻害するため、その乾燥速度を低下させる傾向がある。本発明では、界面活性剤である（Ａ）成分、（Ｂ）成分、及び（Ｃ）成分を特定の比率で混合しているため、液滴内で水分の蒸発により高濃度になっても液晶相を形成することはなく、水分の蒸発が迅速に進むものと考えられる。すなわち、本発明は、特定の界面活性剤を特定の比率で混合して乾燥過程での相状態を制御したことにより、これまでにない速乾性を実現したものと考えられる。
【００１６】
本発明では、（Ａ）成分、（Ｂ）成分、及び（Ｃ）成分を特定の割合で処方することにより、上記のような速乾性の向上に加え、洗浄力の向上や比較的高濃度の香料の安定な配合も実現できる。
【００１７】
＜（Ａ）成分＞
本発明で用いる（Ａ）成分は、アルキル基の炭素数が８以上、１６以下、好ましくは１４以下であり、糖の平均縮合度が１以上、好ましくは１．１以上、そして、２以下、好ましくは１．８のアルキルグリコシドである。（Ａ）成分は洗浄力向上効果のみならず、被洗浄面に適用した際の乾燥速度の向上や、洗浄剤組成物の配合安定性の向上に効果がある。ここで、配合安定性とは、実施例で示したような、組成物調製時の配合成分の安定溶解性、及び調製後の組成物の貯蔵安定性を包含する意味である。
【００１８】
（Ａ）成分としては、下記一般式（Ａ１）で表される化合物が好適である。
Ｒ1a（ＯＲ2a）xＧy                  （Ａ１）
〔式中、Ｒ1aは炭素数８以上、１６以下の、好ましくは直鎖又は分岐のアルキル基を示し、Ｒ2aは炭素数２以上、４以下のアルキレン基を示し、Ｇは炭素数５又は６の糖に由来する残基を示し、ｘはその平均値が０以上、５以下となる数を示し、ｙはその平均値が１以上、２以下となる数を示す。〕
【００１９】
上記一般式（Ａ１）において、Ｒ1aで示されるアルキル基としては、配合安定性の観点から、炭素数１０以上、１６以下のものが好ましい。また、Ｒ2aで示されるアルキレン基としては、溶解性の点から炭素数２のものが好ましい。また、Ｇで示される炭素数５又は６の糖に由来する残基は、使用される単糖類もしくは２糖類以上の糖によってその構造が決定される。Ｇとしては、単糖類ではグルコース、ガラクトース、キシロース、マンノース、リキソース、アラビノース、フルクトース又はこれらの混合物等に由来する残基が挙げられ、２糖類以上ではマルトース、キシロビオース、イソマルトース、セロビオース、ゲンチビオース、ラクトース、スクロース、ニゲロース、ツラノース、ラフィノース、ゲンチアノース、メンジトース又はこれらの混合物等に由来する残基が挙げられる。これらのうち好ましい原料は、配合安定性の点、及びこれらの入手性及び低コストの点から、単糖類ではグルコース及びフルクトースであり、２糖類以上ではマルトース及びスクロースである。
【００２０】
また、上記一般式（１）の中のｘは、その平均値が０以上、５以下、好ましくは２以下である。このｘの値により（ａ）成分の水溶性及び結晶性を調節することができる。すなわち、ｘが大きい値となるほど（ａ）成分の水溶性が高くなりかつ結晶性が低くなる傾向にある。
【００２１】
また上記一般式（１）の中のｙの平均値が１より大きい場合、つまり（ａ）成分が２糖類以上の糖鎖を親水性基とする場合、糖鎖の結合様式が１−２、１−３、１−４、１−６結合又はα−、β−ピラノシド結合もしくはフラノシド結合及びこれらの混合された結合様式である任意の混合物を含むことが可能である。
【００２２】
上記一般式（１）中のｙは、その平均値が１以上、好ましくは１．１以上、より好ましくは１．２以上、そして、２以下、好ましくは１．８以下、より好ましくは１．６以下である。このｙの値（糖縮合度）は1Ｈ−ＮＭＲにより測定する。具体的な測定方法としては、特開平８−５３６９６号公報第６頁第１０欄２６行目〜７頁第１１欄１５行目を参照する。
【００２３】
＜（Ｂ）成分＞
本発明の（Ｂ）成分は、下記一般式（Ｂ１）で表される非イオン界面活性剤である。驚くべきことに、（Ｂ）成分は洗浄力向上効果のみならず、被洗浄面に適用した際の乾燥速度の向上や、洗浄剤組成物の配合安定性の向上に効果がある。
Ｒ1b−Ｏ（Ｃ2Ｈ4Ｏ）p−Ｈ                （Ｂ１）
〔式中、Ｒ1bは炭素数８以上、２２以下の分岐のアルキル基、ｐは平均付加モル数を示し、０．１以上、２０以下の数である。〕
【００２４】
一般式（Ｂ１）中、Ｒ1bは、洗浄力の観点から、炭素数８以上、好ましくは１０以上、より好ましくは１２以上、そして、２２以下、好ましくは１８以下、より好ましくは１４以下の分岐のアルキル基である。ここで、分岐アルキル基としては、特に限定されるものではないが、第２級アルキル基、特に直鎖型第２級アルキル基などを挙げることができる。第２級アルキル基は、Ｒ1b−Ｏの酸素原子と結合する炭素原子が第２級炭素原子であるアルキル基である。
【００２５】
一般式（Ｂ１）中、ｐは、洗浄力及び乾燥速度の向上の観点から、０．１以上、好ましくは１以上、より好ましくは２以上、より好ましくは３以上、更に好ましくは４以上、より更に好ましくは５以上、そして、２０以下、好ましくは１５以下、より好ましくは１０以下、更に好ましくは７以下の数である。
【００２６】
（Ｂ）成分の調製方法としては、特に限定されるものではないが、例えばＲ1b−ＯＨで示される、分岐のアルキル基を有するアルコール、好ましくは第２級アルコール、より好ましくは直鎖型第２級アルコールにエチレンオキシドを所定量付加して製造される。エチレンオキシドの付加反応は触媒が必要でありＮａＯＨ、ＫＯＨなどの水酸化アルカリを用いることができる。また、特開平８−３２３２００号公報に記載の酸化マグネシウムを主成分とする触媒を用いることができる。前者は付加モル数分布が比較的広いポリオキシエチレンアルキルエーテルを得ることができ、後者は比較的狭い付加モル数分布を有する化合物を得ることができる。また、特開平１０−１５８３８４号公報に開示されているようにアルカリ触媒と金属酸化物触媒を併用することにより、付加モル数分布を制御することもできる。
【００２７】
＜（Ｃ）成分＞
（Ｃ）成分の陰イオン界面活性剤としては、特に限定されるものではないが、ポリオキシアルキレン基を有する陰イオン界面活性剤が挙げられる。例えばポリオキシアルキレンアルキルエーテル硫酸塩、ポリオキシアルキレンアルケニルエーテル硫酸塩、ポリオキシアルキレンアルキルアリールエーテル硫酸塩、ポリオキシアルキレンアルケニルアリールエーテル硫酸塩、ポリオキシアルキレンモノアルキルエーテルリン酸塩、ポリオキシアルキレンジアルキルエーテルリン酸塩、ポリオキシアルキレンモノアルケニルエーテルリン酸塩、ポリオキシアルキレンジアルケニルエーテルリン酸塩、ポリオキシアルキレンモノフェニルエーテルリン酸塩、ポリオキシアルキレンジフェニルエーテルリン酸塩、ポリオキシアルキレンアルキルエーテルカルボン酸塩、ポリオキシアルキレンアルケニルエーテルカルボン酸塩、ポリオキシアルキレンアルキルエーテル酢酸塩、ポリオキシアルキレンアルケニルエーテル酢酸塩等が挙げられる。（Ｃ）成分としては、ポリオキシアルキレンアルキルエーテル硫酸塩、ポリオキシアルキレンアルケニルエーテル硫酸塩、ポリオキシアルキレンアルキルエーテル酢酸塩及びポリオキシアルキレンアルケニルエーテル酢酸塩から選ばれる１種以上の陰イオン界面活性剤が好ましく、ポリオキシアルキレンアルキルエーテル硫酸塩から選ばれる１種以上の陰イオン界面活性剤がより好ましい。
【００２８】
前記陰イオン界面活性剤が有するアルキル又はアルケニル基としては、炭素数４以上、更に８以上、そして、２６以下、更に２４以下のものが好ましい。また、これらのアルキル又はアルケニル基は直鎖でも分岐でもよいが、直鎖が好ましい。また、前記陰イオン界面活性剤におけるポリオキシアルキレン基としては、ポリオキシエチレン、ポリオキシプロピレン、及びポリオキシブチレン基から選ばれる基が挙げられる。ポリオキシエチレン基及び／又はポリオキシプロピレン基が好ましい。また、ポリオキシアルキレン基の平均付加モル数は１以上、更に１超、そして、２０以下、更に１０以下が好ましい。更に、前記陰イオン界面活性剤における塩としては、ナトリウム、カリウム等のアルカリ金属塩、カルシウム、マグネシウム等のアルカリ土類金属塩、アンモニウム塩、モノエタノールアミン、ジエタノールアミン、トリエタノールアミン等のアルカノールアミン塩が挙げられる。
【００２９】
好ましい（Ｃ）成分として、アルキル基の炭素数が８以上、好ましくは１０以上、より好ましくは１２以上、そして、２４以下、好ましくは１８以下、より好ましくは１４以下、オキシエチレン基の平均付加モル数が１以上、好ましくは１．５以上、より好ましくは２以上、そして、１０以下、好ましくは７以下、より好ましくは５以下である、ポリオキシアルキレンアルキルエーテル硫酸塩が挙げられる。
【００３０】
＜（Ｄ）成分＞
本発明の（Ｄ）成分は香料であり、単独の香料成分を用いてもよく、複数の香料成分を特定の比率で含有する香料組成物として用いることもできる。香料成分としては、「香料の化学」（赤星亮一著、日本化学会編産業化学シリーズ昭和５８年９月１６日発行）や「合成香料化学と商品知識」（印藤元一著、化学工業日報社、１９９６年３月６日発行）や「香料と調香の基礎知識」（中島基貴著、産業図書（株）、１９９５年６月２１日発行）に記載のものを用いることができる。（Ｄ）成分としては、汚れの洗浄効果や、菌により発生するニオイの抑制効果に優れるものが好ましい。
【００３１】
具体的には、炭化水素系香料、アルコール系香料、エーテル系香料、アルデヒド系香料、ケトン系香料、エステル系香料、ラクトン系香料、環状ケトン系香料及び含窒素系香料から選ばれる１種以上、好ましくは炭化水素系香料、アルコール系香料及びアルデヒド系香料から選ばれる１種以上を挙げることができる。
【００３２】
本発明では、汚れの洗浄効果や菌により発生するニオイの抑制効果の観点から、香料組成物を（Ｄ）成分として用いることが好ましい。該香料組成物は、好ましくは１０質量％以上、より好ましくは５０質量％以上、そして、１００質量％以下のリモネンを含有する。
【００３３】
＜硬質表面洗浄剤組成物の組成等＞
本発明の硬質表面用洗浄剤組成物は、（Ａ）成分を、洗浄力、速乾性、及び配合安定性の観点から、０．１質量％以上、好ましくは０．２質量％以上、より好ましくは０．３質量％以上、更に好ましくは０．４質量％以上、そして、速乾性、配合安定性、及び仕上がり性の観点から、特に仕上がり性の観点から、３質量％以下、好ましくは２質量％以下、より好ましくは１．５質量％以下、更に好ましくは１．２質量％以下、更に１質量％以下、更に０．８質量％以下含有する。
【００３４】
本発明の硬質表面用洗浄剤組成物は、（Ｂ）成分を、洗浄力、速乾性、及び配合安定性の観点から、好ましくは０．１質量％以上、より好ましくは０．２質量％以上、更に好ましくは０．３質量％以上、より更に好ましくは０．４質量％以上、そして、速乾性の観点から、好ましくは３質量％以下、より好ましくは２質量％以下、更に好ましくは１．５質量％以下、より更に好ましくは１．２質量％以下、更に１質量％以下、更に０．８質量％以下、更に０．６質量％以下含有する。
【００３５】
本発明の硬質表面用洗浄剤組成物は、（Ｃ）成分を、速乾性の観点から、好ましくは０．２質量％以上、より好ましくは、０．３質量％以上、更に好ましくは０．４質量％以上、より更に好ましくは０．５質量％以上、そして、速乾性の観点から、好ましくは４質量％以下、より好ましくは３質量％以下、更に好ましくは２質量％以下、より更に好ましくは１．５質量％以下、更に１質量％以下、更に０．８質量％以下含有する。
【００３６】
本発明の硬質表面用洗浄剤組成物は、（Ｄ）成分を、速乾性の観点から、好ましくは０．１質量％以上、より好ましくは０．３質量％以上、更に好ましくは０．５質量％以上、より更に好ましくは０．７質量％以上、そして、好ましくは４質量％以下、より好ましくは３質量％以下、更に好ましくは２．５質量％以下、より更に好ましくは２質量％以下、更に１質量％以下、更に０．８質量％以下含有する。
【００３７】
本発明の硬質表面用洗浄剤組成物は、（Ａ）成分に対する（Ｂ）成分の質量比（Ｂ）／（Ａ）が、速乾性及び洗浄力の観点から、０．５以上、好ましくは０．６以上、より好ましくは０．７以上、そして、速乾性の観点から、２以下、好ましくは１．５以下、より好ましくは１．２以下、更に１以下、更に０．８以下である。（Ａ）成分及び（Ｂ）成分の組成物中の含有量は、この質量比を満たすように選択される。
【００３８】
本発明の硬質表面用洗浄剤組成物は、（Ａ）成分に対する（Ｃ）成分の質量比（Ｃ）／（Ａ）が、速乾性の観点から、０．５以上、好ましくは０．７以上、より好ましくは１以上、そして、速乾性の観点から、３以下、好ましくは２以下、より好ましくは１．５以下である。（Ａ）成分及び（Ｃ）成分の組成物中の含有量は、この質量比を満たすように選択される。
【００３９】
本発明の硬質表面用洗浄剤組成物は、（Ｃ）成分に対する（Ｂ）成分の質量比（Ｂ）／（Ｃ）が、速乾性をより高める観点から、０．３以上、好ましくは０．４以上、より好ましくは０．５以上、そして、速乾性の観点から、３以下、好ましくは２以下、より好ましくは１．５以下、更に１以下、更に０．８以下、更に０．６以下である。好ましくは、（Ｃ）成分及び（Ｂ）成分の組成物中の含有量は、この質量比を満たすように選択される。
【００４０】
本発明の硬質表面用洗浄剤組成物は、（Ａ）成分に対する（Ｄ）成分の質量比（Ｄ）／（Ａ）が、速乾性をより高める観点から、０．３以上、好ましくは０．５以上、より好ましくは１以上、そして、速乾性の観点から、５以下、好ましくは３以下、より好ましくは１．５以下、更に１．２以下である。好ましくは、（Ａ）成分及び（Ｄ）成分の組成物中の含有量は、この質量比を満たすように選択される。
【００４１】
本発明の硬質表面用洗浄剤組成物は、（Ｂ）成分に対する（Ｄ）成分の質量比（Ｄ）／（Ｂ）が、速乾性の観点から、０．５以上、好ましくは１以上、より好ましくは１．５以上、そして、速乾性をより高める観点から、５以下、好ましくは３以下、より好ましくは２以下、更に１．８以下である。好ましくは、（Ｂ）成分及び（Ｄ）成分の組成物中の含有量は、この質量比を満たすように選択される。
【００４２】
本発明の硬質表面用洗浄剤組成物は、（Ｃ）成分に対する（Ｄ）成分の質量比（Ｄ）／（Ｃ）が、速乾性をより高める観点から、０．５以上、好ましくは０．８以上、より好ましくは１以上、そして、速乾性の観点から、５以下、好ましくは３以下、より好ましくは１．５以下、更に１．２以下である。好ましくは、（Ｃ）成分及び（Ｄ）成分の組成物中の含有量は、この質量比を満たすように選択される。
【００４３】
本発明の硬質表面用洗浄剤組成物は、（Ａ）成分、（Ｂ）成分及び（Ｃ）成分の合計量に対する（Ｄ）成分の質量比（Ｄ）／［（Ａ）＋（Ｂ）＋（Ｃ）］が、配合安定性の観点から、０．１以上、好ましくは０．２以上、より好ましくは０．３以上、更に好ましくは０．４以上、そして、配合安定性の観点から、１以下、好ましくは０．８以下、より好ましくは０．６以下、更に好ましくは０．５以下である。（Ａ）成分、（Ｂ）成分、（Ｃ）成分、及び（Ｄ）成分の組成物中の含有量は、この質量比を満たすように選択される。
【００４４】
本発明の硬質表面用洗浄剤組成物は、（Ａ）成分、（Ｂ）成分及び（Ｃ）成分の合計量に対する（Ａ）成分の質量比（Ａ）／［（Ａ）＋（Ｂ）＋（Ｃ）］が、速乾性及び洗浄力をより高める観点から、好ましくは０．１以上、より好ましくは０．２以上、更に好ましくは０．３以上、そして、配合安定性の観点から、好ましくは０．７以下、より好ましくは０．６以下、更に好ましくは０．５以下、更に０．４以下である。
【００４５】
本発明の硬質表面用洗浄剤組成物は、（Ａ）成分、（Ｂ）成分及び（Ｃ）成分の合計量に対する（Ｂ）成分の質量比（Ｂ）／［（Ａ）＋（Ｂ）＋（Ｃ）］が、配合安定性の観点から、好ましくは０．１以上、より好ましくは０．１５以上、更に好ましくは０．２以上、そして、配合安定性の観点から、好ましくは０．７以下、より好ましくは０．６以下、更に好ましくは０．５以下である。
【００４６】
本発明の硬質表面用洗浄剤組成物は、（Ａ）成分、（Ｂ）成分及び（Ｃ）成分の合計量に対する（Ｃ）成分の質量比（Ｃ）／［（Ａ）＋（Ｂ）＋（Ｃ）］が、速乾性及び洗浄力をより高める観点から、好ましくは０．１以上、より好ましくは０．２以上、更に好ましくは０．３以上、より更に好ましくは０．４以上、そして、配合安定性をより高める観点から、好ましくは０．７以下、より好ましくは０．６以下、更に好ましくは０．５以下、更に０．４５以下である。
【００４７】
本発明の硬質表面用洗浄剤組成物は、（Ａ）成分、（Ｂ）成分及び（Ｃ）成分の含有量の合計が、速乾性及び洗浄力をより高める観点から、好ましくは０．５質量％以上、より好ましくは１質量％以上、更に好ましくは１．５質量％以上であり、そして、配合安定性、速乾性及び仕上がり性の観点から、好ましくは４質量％以下、より好ましくは３質量％以下、更に好ましくは２質量％以下である。
【００４８】
本発明の硬質表面用洗浄剤組成物は、洗浄操作において常に求められる衛生の観点から、（Ｅ）成分として、除菌剤を含有しても良い。ここで本発明の除菌剤は、「香粧品、医薬品防腐・殺菌剤の科学」吉村孝一、滝川博文著、フレグランスジャーナル社、１９９０年４月１０日発行、５０１頁〜５６４頁に記載されているものを使用しても良い。例えばトリクロサン、ビス−（２−ピリジルチオー１−オキシド）亜鉛、２，４，５，６−テトラクロロイソフタロニトリル、トリクロロカルバニリド、２−（４−チオシアノメチルチオ）ベンズイミダゾール、ポリヘキサメチレンビグアニジン塩酸塩、グルクロン酸クロルヘキシジン、８−オキシキノリン及びポリリジンから選ばれる１種以上である。また、特開平１１−１８９９７５号に記載されているトリクロサン類自体、具体的にはジクロロヒドロキシジフェニルエーテル、モノクロロヒドロキシジフェニルエーテルを使用しても良い。
【００４９】
（Ｅ）成分としては、さらには、炭素数８以上、１４以下のアルキル基を２つ有するジアルキルジメチルアンモニウム塩、炭素数８以上、１４以下のアルキル基を１つ有するアルキルジメチルベンジルアンモニウム塩、炭素数８以上、１６以下のアルキル基を有するアルキルピリジニウム塩から選ばれる４級アンモニウム塩型除菌剤を用いても良い。
【００５０】
（Ｅ）成分を含有する場合、組成物中の含有量は、好ましくは０．０５質量％以上、より好ましく０．１質量％以上とすることができるが、硬質表面の速乾性の向上の観点から、３質量％以下、好ましくは２質量％以下、より好ましくは１質量％以下、より好ましくは０．５質量％以下、より好ましくは０．２質量％以下であることが好ましい。
【００５１】
本発明の硬質表面用洗浄剤組成物は、水を含有する液体洗浄剤組成物である。上記成分を水に溶解、分散、乳化させた形態のいずれであってもよい。水は金属成分を除去したイオン交換水や蒸留水、あるいは次亜塩素酸を０．５ｐｐｍ以上、１０ｐｐｍ以下程度溶解させた次亜塩素酸滅菌水などを使用することができる。水は組成物の残部であり、全体を１００質量％とする量で含有される。
【００５２】
本発明の硬質表面用洗浄剤組成物は、原液のｐＨが２０℃で、好ましくは５以上、より好ましくは６以上、更に好ましくは６．５以上、そして、好ましくは８以下、より好ましくは７．５以下である。このようなｐＨへの調整は硫酸、塩酸、リン酸、から選ばれる無機酸、クエン酸、りんご酸、マレイン酸、フマール酸、コハク酸、乳酸、グリコール酸から選ばれる有機酸、水酸化ナトリウム、水酸化カリウム、水酸化マグネシウム、炭酸ナトリウム、炭酸カリウムなどの無機アルカリ剤を用いて行われる。床に適用する場合のワックスへの影響の観点からｐＨは８以下が好ましく、必要な酸量が少ないことによる拭き取り後の跡残りの観点や金属製品損傷性の観点からｐＨは５以上が好ましい。本発明では、洗浄剤組成物に緩衝能を持たせることが洗浄力持続性の点から好ましく、上記有機酸、好ましくはクエン酸、及び無機アルカリ剤を併用することが好適である。有機酸はナトリウム塩やカリウム塩の形態で洗浄剤組成物に配合しても差し支えないが、含有量は酸の形態として、洗浄剤組成物中に好ましくは０．００１質量％以上、より好ましくは０．００５質量％以上、そして、好ましくは０．０２質量％以下、より好ましくは０．０１５質量％以下である。無機アルカリ剤の含有量は、本発明の洗浄剤組成物中に好ましくは０．００１質量％以上、より好ましくは０．００５質量％以上、そして、好ましくは０．０２質量％以下、より好ましくは０．０１質量％以下である。
【００５３】
本発明の硬質表面用洗浄剤組成物は、硬質表面の水拭き用組成物ないし水拭き用物品として好適である。すなわち、居間、部屋、台所、浴室、トイレといった居住まわり等の硬質表面（各種物品、床、壁、天井等）等の軽い洗浄に好適に用いられる。この場合、本発明の組成物は、泡立ち、ヌルつき、跡残りが生じず、仕上がり性に優れており、また、乾燥も早いため、別途水拭き（二度拭き）する必要がない。本発明により、本発明の硬質表面用洗浄剤組成物を硬質表面に適用した後、拭き取り洗浄を行う硬質表面の洗浄方法が提供される。拭き取り洗浄は、布巾、雑巾、不織布等を用いて、硬質表面に適用した組成物を硬質表面から除去することが好ましい。
【００５４】
本発明の硬質表面用洗浄剤組成物は、水で７０倍以上、更に１００倍以上、そして、２００倍以下、更に１５０倍以下に希釈した洗浄液として硬質表面に適用されることが好ましい。そして、該洗浄液を硬質表面に適用した後は、濯ぎを行わずに前記硬質表面を乾燥させることができる。
【００５５】
また、本発明の硬質表面用洗浄剤組成物又はこれを前記のように希釈した洗浄液（以下、単に洗浄液という場合もある）は、基体に含浸させて清掃用物品として使用することもできる。本発明の硬質表面用洗浄剤組成物又は洗浄液を基体に含浸させた清掃用物品は、清掃作業の作業性の観点から好ましい。
【００５６】
硬質表面用洗浄剤組成物又は洗浄液を含浸させた清掃用物品に用いられる基体としては、可撓性を有し、硬質表面用洗浄剤組成物又は洗浄液が含浸可能なものであり、使用時に十分な強度を有し、くず等の発生の無いものが用いられる。特に、無荷重下において後述の量の硬質表面用洗浄剤組成物又は洗浄液を含浸し得る基体を用いることが好ましい。
【００５７】
そのような基体としては、繊維状材料から構成される繊維構造体、例えば、各種紙、不織布、織布若しくは編布が挙げられる。これらの繊維構造体を構成する繊維状材料としては、例えば、セルロース系繊維、変性セルロース系繊維、合成繊維及びこれらの二種以上の混合物等が挙げられる。
【００５８】
また、樹脂中に気泡を分散させて得られる多孔質構造体（例えば、スポンジ状構造体）も上記基体として使用できる。
【００５９】
また、本発明の硬質表面用洗浄剤組成物又は洗浄液を含浸させた清掃用物品を用いて硬質表面を拭く洗浄方法は、清掃作業の作業性の観点から、硬質表面の軽い洗浄に好ましい。硬質表面用洗浄剤組成物又は洗浄液を含浸させた清掃用物品は、基体に予め硬質表面用洗浄剤組成物又は洗浄液を含浸させてなるもの、あるいは乾燥した基体に硬質表面用洗浄剤組成物又は洗浄液をスプレー等により使用直前に含浸させてなるもの、の何れでもよい。また、スプレーされた清掃用物品を用いて被清掃面を清掃してもよい。硬質表面用洗浄剤組成物又は洗浄液を含浸させた清掃用物品は、モップ状の掃除具に装着されて用いられてもよいし、直接手で持って拭き掃除に用いられてもよい。
【００６０】
予め硬質表面用洗浄剤組成物又は洗浄液が含浸されている場合、硬質表面用洗浄剤組成物又は洗浄液の含浸率は清掃性の観点から、基体質量〔即ち、未含浸状態（乾燥状態）の基体の質量基準〕あたり、１００質量％以上であることが好ましく、１５０質量％以上であることがより好ましく、そして、１０００質量％以下であることが好ましく、４００質量％以下であることがより好ましく、３５０質量％以下であることが更に好ましい。含浸率が１００質量％以上であれば、シミ汚れや土ボコリに対する十分な清掃性能が得られる。１０００質量％以下であれば、被清掃面への洗浄剤組成物の放出量が適正となり被清掃面に汚れや土ボコリが残留せず、また、木質系材料など種々の材料からなる清掃面に影響なく使用できる。清掃性の一層の向上の点から、基体がシートである場合、硬質表面用洗浄剤組成物又は洗浄液の含浸前の坪量は、一定面積の洗浄に必要な洗浄剤の保持性とシートの操作性やコストとの観点から、４０ｇ／ｍ2以上であることが好ましく、５０ｇ／ｍ2以上であることがより好ましく、そして、２００ｇ／ｍ2以下であることが好ましく、１５０ｇ／ｍ2以下であることがより好ましい。
【００６１】
硬質表面用洗浄剤組成物又は洗浄液を含浸させた清掃用物品使用時に、別途本発明の硬質表面用洗浄剤組成物又は洗浄液を、被清掃物又は前記清掃用物品に、噴霧しながら使用してもよい。当該使用方法によって、より広い面積を清掃することができる。
【００６２】
発明の態様を以下に例示する。
＜１＞  （Ａ）アルキル基の平均炭素数が８以上、１６以下であり、糖の平均縮合度が１以上、２以下であるアルキルグリコシド〔以下、（Ａ）成分という〕を０．１質量％以上、３質量％以下、
（Ｂ）下記一般式（Ｂ１）で表される非イオン界面活性剤〔以下、（Ｂ）成分という〕、
Ｒ1b−Ｏ（Ｃ2Ｈ4Ｏ）p−Ｈ  （Ｂ１）
〔式中、Ｒ1bは炭素数８以上、２２以下の分岐のアルキル基、ｐは平均付加モル数を示し、０．１以上、２０以下の数である。〕
（Ｃ）陰イオン界面活性剤〔以下、（Ｃ）成分という〕、及び、
（Ｄ）香料〔以下、（Ｄ）成分という〕を含有する硬質表面用洗浄剤組成物であって、
（Ａ）成分に対する（Ｂ）成分の質量比（Ｂ）／（Ａ）が０．５以上、２以下、
（Ａ）成分に対する（Ｃ）成分の質量比（Ｃ）／（Ａ）が０．５以上、３以下、
（Ａ）成分、（Ｂ）成分及び（Ｃ）成分の合計量に対する（Ｄ）成分の質量比（Ｄ）／［（Ａ）＋（Ｂ）＋（Ｃ）］が０．１以上、１以下である、
硬質表面用洗浄剤組成物。
【００６３】
＜２＞  （Ａ）成分、（Ｂ）成分及び（Ｃ）成分の合計量に対する（Ｂ）成分の質量比（Ｂ）／［（Ａ）＋（Ｂ）＋（Ｃ）］が０．１以上、０．７以下である、＜１＞に記載の硬質表面用洗浄剤組成物。
【００６４】
＜３＞  （Ａ）成分、（Ｂ）成分及び（Ｃ）成分の含有量の合計が４質量％以下、好ましくは３質量％以下、より好ましくは２質量％以下である、＜１＞又は＜２＞記載の硬質表面用洗浄剤組成物。
【００６５】
＜４＞  （Ｄ）成分の含有量が０．３質量％以上、好ましくは０．５質量％以上、より好ましくは０．７質量％以上である、＜１＞〜＜３＞の何れかに記載の硬質表面用洗浄剤組成物。
【００６６】
＜５＞  （Ａ）成分が、下記一般式（Ａ１）で表される化合物である、＜１＞〜＜４＞の何れかに記載の硬質表面用洗浄剤組成物。
Ｒ1a（ＯＲ2a）xＧy                  （Ａ１）
〔式中、Ｒ1aは炭素数８以上、１６以下の、好ましくは直鎖又は分岐のアルキル基を示し、Ｒ2aは炭素数２以上、４以下のアルキレン基を示し、Ｇは炭素数５又は６の還元糖に由来する残基を示し、ｘはその平均値が０以上、５以下となる数を示し、ｙはその平均値が１以上、２以下となる数を示す。〕
【００６７】
＜６＞  （Ｂ）成分が、一般式（Ｂ１）中のＲ1bが炭素数８以上、２２以下の第２級アルキル基、好ましくは直鎖型第２級アルキル基の非イオン界面活性剤である、＜１＞〜＜５＞の何れかに記載の硬質表面用洗浄剤組成物。
【００６８】
＜７＞  （Ｃ）成分が、ポリオキシアルキレン基を有する陰イオン界面活性剤である、＜１＞〜＜６＞の何れかに記載の硬質表面用洗浄剤組成物。
【００６９】
＜８＞  （Ｃ）成分が、ポリオキシアルキレンアルキルエーテル硫酸塩、ポリオキシアルキレンアルケニルエーテル硫酸塩、ポリオキシアルキレンアルキルエーテル酢酸塩及びポリオキシアルキレンアルケニルエーテル酢酸塩から選ばれる１種以上の陰イオン界面活性剤である、＜１＞〜＜７＞の何れかに記載の硬質表面用洗浄剤組成物。
【００７０】
＜９＞  （Ｄ）成分が、炭化水素系香料、アルコール系香料及びアルデヒド系香料から選ばれる１種以上である、＜１＞〜＜８＞の何れかに記載の硬質表面用洗浄剤組成物。
【００７１】
＜１０＞  （Ｄ）成分が、１０質量％以上、好ましくは５０質量％以上、そして、１００質量％以下のリモネンを含有する香料組成物である、＜１＞〜＜９＞の何れかに記載の硬質表面用洗浄剤組成物。
【００７２】
＜１１＞  更に、（Ｅ）除菌剤の含有量が３質量％以下、好ましくは２質量％以下、より好ましくは１質量％以下、より好ましくは０．５質量％以下、より好ましくは０．２質量％以下である、＜１＞〜＜１０＞の何れかに記載の硬質表面用洗浄剤組成物。
【００７３】
＜１２＞  （Ｅ）成分が、トリクロサン、ビス−（２−ピリジルチオー１−オキシド）亜鉛、２，４，５，６−テトラクロロイソフタロニトリル、トリクロロカルバニリド、２−（４−チオシアノメチルチオ）ベンズイミダゾール、ポリヘキサメチレンビグアニジン塩酸塩、グルクロン酸クロルヘキシジン、８−オキシキノリン及びポリリジンから選ばれる１種以上である、＜１＞〜＜１１＞の何れかに記載の硬質表面用洗浄剤組成物。
【００７４】
＜１３＞  原液のｐＨが２０℃で５以上、好ましくは６以上、より好ましくは６．５以上、そして、８以下、好ましくは７．５以下である、＜１＞〜＜１２＞の何れかに記載の硬質表面用洗浄剤組成物。
【００７５】
＜１４＞  硬質表面が床面である、＜１＞〜＜１３＞の何れかに記載の硬質表面用洗浄剤組成物。
【００７６】
＜１５＞  ＜１＞〜＜１４＞の何れかに記載の硬質表面用洗浄剤組成物を水で７０倍以上、２００倍以下に希釈した洗浄液を硬質表面に適用する、硬質表面の洗浄方法。
【００７７】
＜１６＞  上記洗浄液を硬質表面に適用した後、濯ぎを行わずに前記硬質表面を乾燥させる、＜１５＞に記載の洗浄方法。
【００７８】
＜１７＞  ＜１＞〜＜１４＞の何れか１項に記載の硬質表面用洗浄剤組成物を水で７０倍以上、２００倍以下に希釈した洗浄液の硬質表面用洗浄剤としての使用。
【００７９】
＜１８＞  上記洗浄液を硬質表面に適用した後、濯ぎを行わずに前記硬質表面を乾燥させる、＜１７＞に記載の硬質表面用洗浄剤としての使用。
【００８０】
＜１９＞  ＜１＞〜＜１４＞の何れか１項に記載の硬質表面用洗浄剤組成物を水で７０倍以上、２００倍以下に希釈した洗浄液の、床面の洗浄への使用
【００８１】
＜２０＞  上記洗浄液を硬質表面に適用した後、濯ぎを行わずに前記硬質表面を乾燥させる、＜１９＞に記載の床面の洗浄への使用。
【実施例】
【００８２】
次の実施例は本発明の実施について述べる。実施例は本発明の例示について述べるものであり、本発明を限定するためではない。
【００８３】
表１に示す硬質表面用液体洗浄剤組成物を調製し、以下の評価を行った。結果を表１に示す。
【００８４】
＜評価方法＞
（１）洗浄力
３０ｃｍ×３０ｃｍのタイル上に菜種油（和光純薬工業株式会社製）１ｍｌを均一に塗布し、これをモデル汚れとした。硬度を４°ｄＨに調整した水を用い、硬質表面用液体洗浄剤組成物を１００倍に希釈し、これをモップに十分含浸し、手で軽く絞った後に上記モデル汚れをモップで軽く拭き取った。モップで拭き取ったタイル上のモデル汚れの洗浄具合を、目視にて０〜１００％まで１０％単位の洗浄率として評価し、これを１０回繰り返してその平均値で洗浄力を評価した。
【００８５】
（２）洗浄面の速乾性
汚れの付着していない３０ｃｍ×３０ｃｍのタイル表面に、硬質表面用液体洗浄剤組成物を、硬度を４°ｄＨに調整した水で１００倍に希釈した液を２ｍｌ塗布し、均一に塗り広げ、空気の流れのない密閉空間で自然乾燥させた。なお、温度は２５℃、湿度は４０％であった。その際に目視で確認できる水滴が完全になくなるまでの時間を測定し、乾燥時間を比較した。この実験を１０回繰り返して、その平均をとった。７分以内にすべての水滴が蒸発した場合を「１０」点とし、以降、乾燥時間が１分延びるごとに１点ずつ減点していき、１６分を超えても水滴が残留した場合を「１」点とした。
【００８６】
（３）安定溶解性
ガラス製のビーカー（直径１０ｃｍ、高さ１２ｃｍ）中で、表１に記載の各組成物の組成となるように全成分を混合した。混合物の合計は２００ｇとした。得られた混合物を、円柱状の撹拌子（長さ２ｃｍ、直径１ｃｍ）を用いて、毎分６００回の速度で５分間攪拌を行った。５分間静置した後に、混合物の外観を目視にて、以下の基準に従って評価した。
◎：完全に透明である。
○：半透明、または一部に濁りがある。
×：不透明、または全体的に濁りがある。
【００８７】
（４）貯蔵安定性
上記（３）の安定溶解性で「◎」又は「○」の評価がされた組成物について、更に貯蔵安定性を評価した。組成物３０ｇを蓋付きガラス瓶に入れ、密封した状態で、５℃の恒温槽で１０日間、次いで４０℃で１０日間、更に５０℃で１０日間保存した。その後、組成物の外観を目視にて、以下の基準に従って評価した。
○：完全に透明である。
△：半透明、または一部に濁りがある。
×：不透明、または全体的に濁りがある。
【００８８】
（５）洗浄面の仕上がり性
汚れの付着していない３０ｃｍ×３０ｃｍのタイル表面に、硬質表面用液体洗浄剤組成物を、硬度を４°ｄＨに調整した水で１００倍に希釈した液を２ｍｌ塗布し、均一に塗り広げ、そのまま放置して自然乾燥（温度２５℃、湿度５０％）させた。２５℃で３０分の放置後にタイル表面を手で触り、その仕上がり性（べたつき感）を手の感触で評価した。１サンプルにつき、熟練した研究員５人が試験し、その合計点を示した。
３：まったくべたつきなし。
２：ややべたつく
１：かなりべたつく。
【００８９】
【表１】
2015007220.tif 000002
【００９０】
表中の成分は以下のものである。
・アルキルグリコシド（C12G1.3）：一般式（Ａ１）中、Ｒ1aが炭素数１２の直鎖１級アルキル基、ｘが０、Ｇがグルコースに由来する残基、ｙが１．３であるアルキルグリコシド
・２級アルキルエトキシレート（sec-C12EO6）：一般式（Ｂ１）中、Ｒ1bが炭素数１２の２級アルキル基、ｐが６である非イオン界面活性剤
・１級アルキルエトキシレート（pri-C12EO6）：便宜的に一般式（Ｂ１）の構造で示すと、式（Ｂ１）中、Ｒ1bが炭素数１２の直鎖１級アルキル基、ｐが６である非イオン界面活性剤
・アルキルエトキシサルフェート（１）（C12,EO2.7）：炭素数１２の直鎖１級アルキル基を有し、オキシエチレン基の平均付加モル数が２．７であるポリオキシアルキレンアルキルエーテル硫酸ナトリウム塩
・アルキルエトキシサルフェート（２）（C12,EO4.0）：炭素数１２の直鎖１級アルキル基を有し、オキシエチレン基の平均付加モル数が４．０であるポリオキシアルキレンアルキルエーテル硫酸ナトリウム塩
・香料Ａ：リモネン８０質量％（香料Ａ中の質量％、以下同様）、ゲラニオール１０質量％、シトラール１０質量％を含有する香料
なお、ｐＨの調整は、クエン酸と水酸化ナトリウムを用いて行った。
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
（Ａ）アルキル基の平均炭素数が８以上、１６以下であり、糖の平均縮合度が１以上、２以下であるアルキルグリコシド〔以下、（Ａ）成分という〕を０．１質量％以上、３質量％以下、
（Ｂ）下記一般式（Ｂ１）で表される非イオン界面活性剤〔以下、（Ｂ）成分という〕、
Ｒ1b−Ｏ（Ｃ2Ｈ4Ｏ）p−Ｈ  （Ｂ１）
〔式中、Ｒ1bは炭素数８以上、２２以下の分岐のアルキル基、ｐは平均付加モル数を示し、０．１以上、２０以下の数である。〕
（Ｃ）陰イオン界面活性剤〔以下、（Ｃ）成分という〕、及び、
（Ｄ）香料〔以下、（Ｄ）成分という〕を含有する硬質表面用洗浄剤組成物であって、
（Ａ）成分に対する（Ｂ）成分の質量比（Ｂ）／（Ａ）が０．５以上、２以下、
（Ａ）成分に対する（Ｃ）成分の質量比（Ｃ）／（Ａ）が０．５以上、３以下、
（Ａ）成分、（Ｂ）成分及び（Ｃ）成分の合計量に対する（Ｄ）成分の質量比（Ｄ）／［（Ａ）＋（Ｂ）＋（Ｃ）］が０．１以上、１以下である、
硬質表面用洗浄剤組成物。
【請求項２】
（Ａ）成分が、下記一般式（Ａ１）で表される化合物である、請求項１に記載の硬質表面用洗浄剤組成物。
Ｒ1a（ＯＲ2a）xＧy                  （Ａ１）
〔式中、Ｒ1aは炭素数８以上、１６以下のアルキル基を示し、Ｒ2aは炭素数２以上、４以下のアルキレン基を示し、Ｇは炭素数５又は６の還元糖に由来する残基を示し、ｘはその平均値が０以上、５以下となる数を示し、ｙはその平均値が１以上、２以下となる数を示す。〕
【請求項３】
（Ａ）成分が、前記一般式（Ａ１）中のＲ1aが直鎖又は分岐のアルキル基の化合物である、請求項２に記載の硬質表面用洗浄剤組成物。
【請求項４】
（Ａ）成分、（Ｂ）成分及び（Ｃ）成分の合計量に対する（Ｂ）成分の質量比（Ｂ）／［（Ａ）＋（Ｂ）＋（Ｃ）］が０．１以上、０．７以下である、請求項１〜３の何れか１項に記載の硬質表面用洗浄剤組成物。
【請求項５】
（Ａ）成分、（Ｂ）成分及び（Ｃ）成分の含有量の合計が４質量％以下である、請求項１〜４の何れか１項に記載の硬質表面用洗浄剤組成物。
【請求項６】
（Ｃ）成分が、ポリオキシアルキレン基を有する陰イオン界面活性剤である、請求項１〜５の何れか１項に記載の硬質表面用洗浄剤組成物。
【請求項７】
（Ｄ）成分の含有量が０．３質量％以上である、請求項１〜６の何れか１項に記載の硬質表面用洗浄剤組成物。
【請求項８】
（Ｂ）成分が、一般式（Ｂ１）中のＲ1bが炭素数８以上、２２以下の２級アルキル基の非イオン界面活性剤である、請求項１〜７の何れか１項に記載の硬質表面用洗浄剤組成物。
【請求項９】
（Ｂ）成分が、一般式（Ｂ１）中のＲ1bが炭素数８以上、２２以下の直鎖型２級アルキル基の非イオン界面活性剤である、請求項１〜８の何れか１項に記載の硬質表面用洗浄剤組成物。
【請求項１０】
（Ｅ）除菌剤の含有量が３質量％以下である、請求項１〜９の何れか１項に記載の硬質表面用洗浄剤組成物。
【請求項１１】
ｐＨが２０℃で５以上、８以下である、請求項１〜１０の何れか１項に記載の硬質表面用洗浄剤組成物。
【請求項１２】
硬質表面が床面である、請求項１〜１１の何れか１項に記載の硬質表面用洗浄剤組成物。
【請求項１３】
請求項１〜１２の何れか１項に記載の硬質表面用洗浄剤組成物を水で７０倍以上、２００倍以下に希釈した洗浄液を硬質表面に適用する、硬質表面の洗浄方法。
【請求項１４】
上記洗浄液を硬質表面に適用した後、濯ぎを行わずに前記硬質表面を乾燥させる、請求項１３に記載の洗浄方法。
【請求項１５】
請求項１〜１２の何れか１項に記載の硬質表面用洗浄剤組成物を水で７０倍以上、２００倍以下に希釈した洗浄液の床面への使用。
【請求項１６】
上記洗浄液を硬質表面に適用した後、濯ぎを行わずに前記硬質表面を乾燥させる、請求項１５に記載の床面への使用。